(57)【要約】【課題】  リセプタクルと螺合作業が容易で、ネジタイプリセプタクルまたはネジなしタイプリセプタクルに係わらず接続でき、かつリセプタクルからの抜け落ちを防止できる同軸プラグを提供する。【解決手段】  円筒部材の中心に配置されたコンタクトピン７と、円筒部材の先端が複数の部分に分割され、各部分が弾性を有する分割片１１と、上記円筒部材の内面に、リセプタクル４１の雄ネジの先端部１０ａと螺合する雌ネジ部９とを備える。また、上記複数に分割された分割片の周囲を囲むリング１９を備える。円筒部材の雌ネジ部９がリセプタクル４１の雄ネジ部１０ａに螺合した状態で結合されるので、同軸ケーブルが外力で強く引っ張られても、同軸ケーブルはリセプタクル４１から抜け落ちなくなる。また、円筒部材３の雌ネジ部９のネジ山数が少なく、かつ前記雌ネジ部９がリセプタクル側の雄ネジ部先端１０ａにのみと螺合されるので、螺合作業が容易である。【選択図】        図２
2005268057.tif 000002
【特許請求の範囲】
【請求項１】
円筒部材の中心に配置されたコンタクトピンと、
円筒部材の先端が複数の部分に分割され各部分が弾性を有する分割片と、
上記円筒部材の内面にリセプタクルの雄ネジの先端部と螺合する雌ネジ部と
を備えたたことを特徴とする同軸プラグ。
【請求項２】
さらに、上記の複数に分割された分割片の周囲を囲むリングを備えたことを特徴とする請求項１に記載の同軸プラグ。
【請求項３】
同軸接続部を有するＬ型同軸プラグにおいて、
前記同軸接続部は
円筒部材の中心に配置されたコンタクトピンと、
円筒部材の先端が複数の部分に分割され各部分が弾性を有する分割片と、
上記円筒部材の内面にリセプタクルの雄ネジの先端部と螺合する雌ネジ部と
を備えたたことを特徴とするＬ型同軸プラグ。
【請求項４】
ケースのいずれかの面に同軸接続部を有するＴ型分配器において、
前記同軸接続部は
円筒部材の中心に配置されたコンタクトピンと、
円筒部材の先端が複数の部分に分割され各部分が弾性を有する分割片と、
上記円筒部材の内面にリセプタクルの雄ネジの先端部と螺合する雌ネジ部と
を備えたたことを特徴とするＴ型分配器。
【請求項５】
前記同軸接続部の外周面が、前記ケースの一つの面と同一面またはケースの一つの面よりも外部にはみ出すように配置されていることを特徴とする請求項４に記載のＴ型分配器。
【発明の詳細な説明】
【技術分野】
【０００１】
本発明は、同軸ケーブルの先端に取り付けられ、リセプタクルと結合される同軸プラグに関する。
【背景技術】
【０００２】
この種のプラグとしては、例えば、特許文献１に示すように、円筒部材の中心にコンタクトピンを配置してなるものが知られている。この同軸プラグは、いわゆるプッシュオン結合方式によるもので、リセプタクルと結合する際、コンタクトピンをリセプタクルの雄ネジ部の中心孔に挿入し、円筒部材をリセプタクルの雄ネジ部に嵌合させている。
【特許文献１】特開２０００‐２９９１７３号
【発明の開示】
【発明が解決しようとする課題】
【０００３】
この同軸プラグ１は、リセプタクルとの結合が容易であるため、例えば、アンテナコンセント４０に設けられ、テレビのアンテナ端子に接続されているリセプタクル４１に接続される。しかし、同軸プラグ１は、円筒部材３をリセプタクルの雄ネジ部に嵌め込んであるだけなので、同軸ケーブルが引っ張られると、リセプタクルから抜け易いという欠点がある。
【０００４】
また、図８に示すように、従来のアンテナコンセント４０に取り付けられるリセプタクルとしては、外周部がネジを有するネジタイプリセプタクル４１ａと外周部にネジを有しないネジなしタイプリセプタクル４１ｂとに分かれる。従来の同軸プラグにおけるネジタイプ同軸プラグは参照番号１ｂに示すように構成される。なお、このネジタイプ同軸プラグ１ｂは、Ａ−Ａ線で切断された下部を理解が容易なように端面図で表示してある。このようなネジタイプ同軸プラグ１ｂを、ネジタイプリセプタクル４１ａと接続する場合には２点鎖線Ｄで示すように、円筒部材３の内部の雌ねじ２８をリセプタクル４１ａの雄ねじ１０ｂに螺合させることによってネジタイプ同軸プラグ１ｂとネジタイプリセプタクル４１ａとを接続できる。ただし、この場合には、円筒部材３の内部の雌ねじ２８をネジタイプリセプタクル４１ａの雄ねじ１０ｂと完全に結合できるまで回転させる必要がある。
【０００５】
一方、このようなネジタイプ同軸プラグ１ｂを、ネジなしタイプリセプタクル４１ｂと接続する場合には、２点鎖線Ｃで示すように、円筒部材３の内部の雌ねじ２８をネジなしタイプリセプタクル４１ｂの外周部１０ｃに押し込むことによって行うが、通常は雌ねじ２８の内周がネジなしタイプリセプタクル４１ｂの外周部１０ｃよりも小さいので接続は不可能である。
【０００６】
本発明は、このような事情に鑑み、ネジタイプリセプタクルまたはネジなしタイプリセプタクルに係わらず接続でき、かつ同軸プラグがリセプタクルからの抜け落ちを防止できる同軸プラグを提供することを目的とする。
【課題を解決するための手段】
【０００７】
上記課題を解決するために、第１の発明は、円筒部材の中心に配置されたコンタクトピンと、円筒部材の先端が複数の部分に分割され各部分が弾性を有する分割片と、上記円筒部材の内面にリセプタクルの雄ネジの先端部と螺合する雌ネジ部と備えたことを特徴とする。
【０００８】
また、第２の発明は、前記第１の発明において、複数に分割された分割片の周囲を囲むリングを備えたことを特徴とする。
【０００９】
また、第３の発明は、同軸接続部を有するＬ型同軸プラグにおいて、前記同軸接続部は、円筒部材の中心に配置されたコンタクトピンと、円筒部材の先端が複数の部分に分割され各部分が弾性を有する分割片と、上記円筒部材の内面にリセプタクルの雄ネジの先端部と螺合する雌ネジ部とを備えたたことを特徴とする。
【００１０】
また、第４の発明は、ケースのいずれかの面に同軸接続部を有するＴ型分配器において、前記同軸接続部は、円筒部材の中心に配置されたコンタクトピンと、円筒部材の先端が複数の部分に分割され各部分が弾性を有する分割片と、上記円筒部材の内面にリセプタクルの雄ネジの先端部と螺合する雌ネジ部とを備えたたことを特徴とする。
【００１１】
また、第５の発明は、前記第４の発明における同軸接続部の外周面が、前記ケースの一つの面と同一面またはケースの一つの面よりも外部にはみ出すように配置されていることを特徴とする。
【発明の効果】
【００１２】
第１の発明によれば、円筒部材の雌ネジ部がリセプタクルの雄ネジ部に螺合した状態で結合されるので、同軸ケーブルが外力で強く引っ張られても、同軸ケーブルはリセプタクルから抜け落ちなくなる。また、円筒部材の雌ネジ部のネジ山数が少なく、かつ前記雌ネジ部がリセプタクル側の雄ネジの先端部のみと螺合されるので、螺合作業が容易である。また、第１の発明は、相手のリセプタクルがネジタイプまたはネジなしタイプに係わらず用いることができる。
【００１３】
また、第２の発明によれば、上記の複数に分割された分割片の周囲を囲むリングを備えるので、このリングによって上記の分割片が外側に広がることを阻止でき、同軸プラグの抜け落ちを防止できる。
【００１４】
また、第３および第４の発明においても、円筒部材の雌ネジ部がリセプタクルの雄ネジ部に螺合した状態で結合されるので、同軸ケーブルが外力で強く引っ張られても、同軸ケーブルはリセプタクルから抜け落ちなくなる。また、円筒部材の雌ネジ部のネジ山数が少なく、かつ前記雌ネジ部がリセプタクル側の雄ネジの先端部のみと螺合されるので、螺合作業が容易である。さらに、第３および第４の発明も、相手のリセプタクルがネジタイプまたはネジなしタイプに係わらず用いることができる。
【００１５】
また、第５の発明によれば、同軸接続部の外周面が、ケースの一つの面よりも外部にはみ出しているので、ケースの同軸接続部を相手のリセプタクルに挿入したままで、セレーションを簡単に回転できるので、螺合作業が容易になる。
【発明を実施するための最良の形態】
【００１６】
実施形態１
以下、本発明の実施形態１の同軸プラグを添付図面に基づいて詳細に説明する。
【００１７】
図１は、本発明の同軸プラグ１が、アンテナコンセント４０に設けられたリセプタクル４１に結合される様子を示す図である。この同軸プラグ１は、把持部４、セレーション１３、円筒部材３、コンタクトピン７、分割片１１、リング１９から構成される。リセプタクルは、雄ネジ部１０ａおよび中心孔１０ｂから構成される。この同軸プラグ１は、例えば図１に示すように、結合にあたっては、同軸プラグ１の分割片１１をリセプタクル４１の雄ネジ部１０ａの先端に係合させた後、分割片１１をリセプタクル４１側に押し込む。
【００１８】
この押し込みによって、コンタクトピン７がリセプタクル４１の中心孔１０ｂに挿入される。このときに、分割片１１は、雄ネジ部１０ａの外周によって弾性変形させられ、雄ネジ部１０ａの外部を覆うように進入する。分割片１１を雄ネジ部１０ａに挿入した後に、セレーション１３を２−３回回転させて図２で示す雌ネジ部９をリセプタクル４１の雄ネジ部１０ａに螺合させる。
【００１９】
このように同軸プラグ１の分割片１１がリセプタクル４１の雄ネジ部１０ａに螺合した状態で、同軸プラグ１とリセプタクル４１とが結合されるので、同軸ケーブル８が外力で引っ張られても、同軸プラグ１がリセプタクル４１から抜けることはない。さらに、同軸プラグ１の雌ネジ部９をリセプタクル４１側の雄ネジ部１０ａの先端部にのみ螺合させているので、円筒部材３を２〜３回回転させるだけで同軸プラグ１の雌ネジ部９とリセプタクル４１の雄ネジ部１０ａとの結合が可能である。
【００２０】
図２は本発明の同軸プラグの詳細断面を示す図である。この同軸プラグ１はいわゆるプッシュオン結合方式と呼ばれるものであり、把持部４と円筒部材３からなり、円筒部材３の先端部は複数の分割片１１に分割され、各分割片１１は弾性材料で構成される。また、把持部４は、同軸ケーブル８とコンタクトピン７とを接続する接続部２を覆い、コンタクトピン７と同軸ケーブル８が外れないように保護する部分である。
【００２１】
上記の接続部２は、絶縁体５、圧入内環１４、圧入外環１５、芯線挿入部１６から構成される。圧入内環１４に圧入外環１５を圧入することによって、圧入内環１４と圧入外環１５は、きつく結合され、接続部２がフランジ部３ａから外れなくなる。圧入内環１４と圧入外環１５の結合部には周回溝６が形成され、この周回溝６に円筒部材３のフランジ部３ａを係合せることによって、円筒部材３は接続部２に対して回転自在となる。
【００２２】
絶縁体５にはコンタクトピン７が挿入される。このコンタクトピン７は、その端で芯線挿入部１６と結合されている。この芯線挿入部１６に同軸ケーブル８の芯線１７を挿入することによって、コンタクトピン７と芯線１７とが電気的に接続される。一方、円筒部材３は圧入内環１４を介して同軸ケーブル８の外部接地導体（図示せず）と接続される。円筒部材３と接続部の結合は種々の構成の結合形式があり、既に公知の技術であるので詳細な説明は省略する。
【００２３】
円筒部材３の内面には雌ネジ部９が形成される。この雌ネジ部９は、図２に示すリセプタクル４１の雄ネジ部１０ａの先端部と螺合する位置に配置されるとともに、雄ネジ部１０ａの先端部との間で２−３回の回転によって螺合するようなネジ山数に形成される。雌ネジ部９から先端を見た方向は、複数の分割片に分割され、各分割片１１間には間隙１１ａが形成され、各分割片は弾性を有している。この分割片１１が、雄ネジ部１０ａを挟持し、円筒部材３とリセプタクル４１とを結合させる。分割片１１の先端部１２は傾斜部３ｂを有し、この傾斜部３ｂは、分割片１１が雄ネジ部１０ａに挿入され易くなる役目を有する。
【００２４】
図３は、分割片１１の部分を詳細に示している同軸プラグ１の一部断面図である。図３に示すように、分割片１１は、リセプタクル４１の雄ネジ部１０ａを挟持すべく雌ネジ部９から先端部１２に向って周方向に等間隔で複数個配置される。また、分割片１１の外面には、分割片１１を雄ネジ部１０ａに挿入したときに、分割片１１が外側に開きすぎることを防止するリング１９が設けられる。また、先端部の反対側には、円筒部材３と一体化されたセレーション１３が形成され、このセレーション１３を回転させることによって、円筒部材３が回転し、雌ネジ部９と雄ネジ部１０ａとが螺合される。
【００２５】
また、分割片１１がリセプタクル４１の雄ネジ部１０ａを挟持する構造になっているので、雌ネジ部９と雄ネジ部１０ａとの螺合を忘れてしまっても、従来のものと同等の結合強度を維持できる。
実施形態２
また、本発明は、上述のように、同軸プラグ１のコンタクトピン７が同軸ケーブル８と一直線に構成される同軸プラグ１に限定されるものではなく、例えば、図４に示すような同軸プラグ１のコンタクトピン７が同軸ケーブル８と直角方向に構成されるＬ型同軸プラグ２０にも適用できることは言うまでもない。
【００２６】
図４において、Ｌ型同軸プラグ２０は、把持部４、セレーション１３、円筒部材３、分割片１１、リング１９等から構成される。Ｌ型同軸プラグ２０における同軸ケーブル８とコンタクトピン７との接続方法は図１の同軸プラグ１と同様であるので、詳細な説明を省略する。
【００２７】
図５は、Ｌ型同軸プラグ２０の内部構造の断面を示す図である。図５においては、図２に示す同軸プラグ１と比べ、把持部４は同軸ケーブル８に沿ってＬ型に構成される。Ｌ型同軸プラグ２０は、同軸ケーブル８をコンタクトピン７に対してＬ型に接続する以外は、図２に示す同軸プラグ１と同じであるので詳細な説明を省略する。なお、図５の先端部１２の傾斜部３ｂの部分は理解を容易にするために端面図で表示してある。
【００２８】
図５におけるＬ型同軸プラグ２０は、図１の同軸プラグ１と同様に、分割片１１、リング１９、セレーション１３および雌ネジ部９等を有し、分割片１１をリセプタクル４１の雄ネジ部１０ａに挿入後、セレーション１３を回転させることによって、円筒部材３が回転し、雌ネジ部９とリセプタクル４１の雄ネジ部１０ａとが螺合される。
【００２９】
Ｌ型同軸プラグ２０の円筒部材３周辺の構造は、図２に示される構造と同一であり、従ってその効果も図１の同軸プラグ１と同様である。
実施形態３
また、本発明は、例えば、図６に示すようなケース３１に設けられる同軸プラグ１のコンタクトピン７がリセプタクル１８と直角方向に構成されるＴ型分配器３０にも適用できることは言うまでもない。
【００３０】
図６において、Ｔ型分配器３０は、ケース３１、リセプタクル１８、芯線３２，セレーション１３、円筒部材３、分割片１１、リング１９等から構成される。Ｔ型分配器３０においては、セレーション１３、円筒部材３、分割片１１、リング１９から構成される部分は図１の同軸プラグ１と同じである。図１との相違点は、コンタクトピン７とリセプタクル１８の芯線３２とが図７に示すように直角に結合されている点である。
【００３１】
図７はＴ型分配器３０の内部構造の詳細断面を示す図である。図７においては、Ｔ型分配器３０は、ケース３１、リセプタクル１８、コンタクトピン受け導体２６、コンタクトピン受け孔２７、芯線３２，芯線１７ａ、インピーダンス整合部１４、セレーション１３、円筒部材３、分割片１１、絶縁部５、リング１９等から構成される。ケース３１と同軸プラグとの間は、圧入外環１５に設けられた雄ねじ２１と、ケース３１に設けられ図示されていない雌ねじ間で結合される。絶縁体５はコンタクトピン７を支持する部材として作用する。コンタクトピン７とリセプタクル１８の芯線３２は、インピーダンス整合部１４を介してインピーダンス整合が行われ、コンタクトピン７からの信号は、芯線３２と整合が取られリセプタクル１８から出力される。Ｔ型分配器３０は、ケース３１、インピーダンス整合部１４、リセプタクル１８、雄ネジ２１以外は図２に示す同軸プラグ１と同じであるので詳細な説明を省略する。
【００３２】
図７におけるＴ型分配器３０においては、図１の同軸プラグ１と同様に、分割片１１をリセプタクル４１の雄ネジ部１０ａに挿入後、セレーション１３を回転させることによって、円筒部材３が回転し、雌ネジ部９とリセプタクル４１の雄ネジ部１０ａとが螺合される。図７に示されるＴ型分配器３０においては、コンタクトピン７から入力される信号は分配器の他の分岐部に設けられた２つのリセプタクル１８に分配され、そこから他の装置に信号が供給される。なお、コンタクトピン７がリセプタクル１８と直角以外の角度を有する分配器にも本願発明は用いられることができることも言うまでもない。
【図面の簡単な説明】
【００３３】
【図１】本発明の同軸プラグをリセプタクルに結合する前の状態を示す図である。
【図２】本発明の第１の実施形態の同軸プラグの断面図である。
【図３】本発明の第１の実施形態の同軸プラグの分割片を示す断面斜視図である。
【図４】本発明の第２の実施形態のＬ型同軸プラグを示す斜視図である。
【図５】本発明の第２の実施形態のＬ型同軸プラグの断面図である。
【図６】本発明の第３のOLE_LINK1実施形態のＴ型OLE_LINK1分配器の斜視図である。
【図７】本発明の第３の実施形態のＴ型分配器の断面図である。
【図８】従来のネジタイプ同軸プラグをネジタイプリセプタクルまたはネジなしタイプリセプタクルに取り付ける様子を示す図である。
【符号の説明】
【００３４】
１…同軸プラグ
２…接続部
３…円筒部材
３ａ…フランジ部
３ｂ…傾斜部
４…把持部
５…絶縁体
６…周回溝
７…コンタクトピン
８…同軸ケーブル
９…雌ネジ部
１０ａ…雄ネジ部
１０ｂ…中心孔
１１…分割片
１１ａ…間隙
１２…先端部
１３…セレーション
１４…圧入内環
１５…圧入外環
１６…芯線挿入部
１７、１７ａ…芯線
１８…リセプタクル
１９…リング
２０…Ｌ型同軸プラグ
２１…雄ネジ
２６…コンタクトピン受け導体
２７…コンタクトピン受け孔
３０…Ｔ型分配器
３１…ケース
３２…芯線
４１…リセプタクル
【図１】
2005268057.tif 000003
【図２】
2005268057.tif 000004
【図３】
2005268057.tif 000005
【図４】
2005268057.tif 000006
【図５】
2005268057.tif 000007
【図６】
2005268057.tif 000008
【図７】
2005268057.tif 000009
【図８】
2005268057.tif 000010